(57)【要約】【課題】再生制御情報を格納したデータを保存させる前に、その再生制御情報に基づく再生表示内容を事前に確認することが可能な配信システム、配信装置、及び、通信端末を提供する。【解決手段】配信システム１００は、ダウンロード配信サービス会社５で携帯電話１からの配信要求に応じたマルチメディアデータと当該マルチメディアデータに関して生成された再生制御情報とを携帯電話１に送信し、携帯電話１で当該再生制御情報に基づいたマルチメディアデータの再生を行なう。【選択図】図１
2007006072.tif 000002
【特許請求の範囲】
【請求項１】
マルチメディアデータを蓄積する蓄積手段及びこの蓄積手段に蓄積されたマルチメディアデータを通信回線を介して配信する配信手段を備えた配信装置と、前記通信回線に接続する接続手段、この接続手段によって前記通信回線に接続されることにより前記配信手段によって配信されるマルチメディアデータを受信する受信手段及びこの受信手段によって受信されたマルチメディアデータを再生出力する再生出力手段を備えた通信端末と、を含む配信システムであって、
前記配信装置は、
前記配信手段によって配信されるマルチメディアデータの再生制御情報を生成する生成手段と、
この生成手段によって生成された再生制御情報を前記通信端末に送信する送信手段とを備え、
前記通信端末は、
前記送信手段によって送信された再生制御情報を前記受信手段に受信するよう制御する受信制御手段と、
この受信制御手段によって受信された再生制御情報を前記受信手段によって受信されたマルチメディアデータとともに記憶する第１の記憶手段と、
この第１の記憶手段に記憶された再生制御情報に基づいて、前記再生出力手段によって再生出力されるマルチメディアデータの再生出力態様を制御する再生制御手段と、
を備えたことを特徴とする配信システム。
【請求項２】
前記通信端末は、
前記接続手段による接続を切断する切断手段と、
この切断手段によって前記通信回線との接続が切断されると、前記第１の記憶手段に記憶されたマルチメディアデータを消去する消去手段と、
を更に備えたことを特徴とする請求項１に記載の配信システム。
【請求項３】
前記通信端末は、
前記第１の記憶手段に記憶されたマルチメディアデータの保存を指示する保存指示手段と、
この指示手段によってマルチメディアデータの保存が指示されると、前記第１の記憶手段に記憶されたマルチメディアデータを転送して記憶する第２の記憶手段と、
を備えたことを特徴とする請求項１に記載の配信システム。
【請求項４】
前記マルチメディアデータは、当該マルチメディアデータに基づく再生様態が時系列的に変化するデータであり、
前記再生制御情報は、前記変化する時間範囲が複数設定された情報であることを特徴とする請求項１乃至３の何れかに記載の配信システム。
【請求項５】
前記通信端末は、
前記変化の時間範囲が複数設定された情報を表示する表示手段と、
この表示手段に表示された情報に基づいて、変化の時間範囲を指示する指示手段と、
この指示手段によって指示された時間範囲で、前記第１の記憶手段に記憶されたマルチメディアデータを再生出力するよう前記再生出力手段を制御する出力制御手段と、
を更に備えたことを特徴とする請求項４に記載の配信システム。
【請求項６】
マルチメディアデータを蓄積する蓄積手段と、
この蓄積手段に蓄積されたマルチメディアデータを通信回線を介して配信する配信手段と、
前記配信手段によって配信されるマルチメディアデータの再生制御情報を生成する生成手段と、
この生成手段によって生成された再生制御情報を前記通信回線を介して他の端末に送信する送信手段と、
を備えたことを特徴とする配信装置。
【請求項７】
通信回線に接続する接続手段と、
この接続手段によって前記通信回線に接続されることにより他の端末から配信されるマルチメディアデータを受信する受信手段と、
この受信手段によって受信されたマルチメディアデータを再生出力する再生出力手段と、
前記他の端末から送信された再生制御情報を前記受信手段に受信するよう制御する受信制御手段と、
この受信制御手段によって受信された再生制御情報を前記受信手段によって受信されたマルチメディアデータとともに記憶する第１の記憶手段と、
この第１の記憶手段に記憶された再生制御情報に基づいて、前記再生出力手段によって再生出力されるマルチメディアデータの再生出力態様を制御する再生制御手段と、
を備えたことを特徴とする通信端末。
【請求項８】
前記接続手段による接続を切断する切断手段と、
この切断手段によって前記通信回線との接続が切断されると、前記第１の記憶手段に記憶されたマルチメディアデータを消去する消去手段と、
を更に備えたことを特徴とする請求項７に記載の通信端末。
【請求項９】
前記第１の記憶手段に記憶されたマルチメディアデータの保存を指示する指示手段と、
この指示手段によってマルチメディアデータの保存が指示されると、前記第１の記憶手段に記憶されたマルチメディアデータを転送して記憶する第２の記憶手段と、
を備えたことを特徴とする請求項７に記載の通信端末。
【請求項１０】
前記マルチメディアデータは、当該マルチメディアデータに基づく再生様態が時系列的に変化するデータであり、
前記再生制御情報は、複数の前記変化の時間範囲毎に再生様態が設定された情報であることを特徴とする請求項７乃至９の何れかに記載の通信端末。
【請求項１１】
前記変化の時間範囲が複数設定された情報を表示する表示手段と、
この表示手段に表示された情報に基づいて、変化の時間範囲を指示する指示手段と、
この指示手段によって指示された時間範囲で、前記第１の記憶手段に記憶されたマルチメディアデータを再生出力するよう前記再生出力手段を制御する出力制御手段と、
を更に備えたことを特徴とする請求項１０に記載の通信端末。
【請求項１２】
当該端末の通信状態を監視する監視手段と、
この監視手段によって監視される通信状態と前記再生制御情報とを関連付けて記憶する第３の記憶手段とを更に備え、
前記再生出力手段は、前記第３の記憶手段に記憶された内容にしたがって再生出力することを特徴とする請求項１１に記載の通信端末。
【請求項１３】
当該端末の電源状態を監視する監視手段と、
この監視手段によって監視される電源状態と前記再生制御情報とを関連付けて記憶する第３の記憶手段とを更に備え、
前記再生出力手段は、前記第３の記憶手段に記憶された内容にしたがって再生出力することを特徴とする請求項１１に記載の通信端末。
【請求項１４】
外部からの着信を検出する着信検出手段と
前記着信検出手段によって検出された時の報知態様と前記再生制御情報とを関連付けて記憶する第３の記憶手段とを更に備え、
前記再生出力手段は、前記第３の記憶手段に記憶された内容にしたがって再生出力することを特徴とする請求項１１に記載の通信端末。
【請求項１５】
蓄積手段により蓄積されたマルチメディアデータを通信回線を介して他の端末に配信する配信装置の配信方法であって、
前記配信されるマルチメディアデータの再生制御情報を生成する生成ステップと、
この生成ステップによって生成された再生制御情報を前記通信回線を介して前記他の端末に送信する送信ステップと、
からなることを特徴とする配信方法。
【請求項１６】
通信回線に接続して他の端末から配信されるマルチメディアデータを受信し、当該受信したマルチメディアデータを再生出力する通信端末の再生方法であって、
前記他の端末から送信される再生制御情報を受信する受信ステップと、
この受信ステップによって受信された再生制御情報を前記受信したマルチメディアデータとともに記憶する記憶ステップと、
この記憶ステップにより記憶された再生制御情報に基づいて、前記受信したマルチメディアデータの再生出力様態を制御する再生制御ステップと
からなることを特徴とする再生方法。
【請求項１７】
マルチメディアデータを蓄積する蓄積手段及びこの蓄積手段に蓄積されたマルチメディアデータを通信回線を介して配信する配信手段を備えた配信装置のコンピュータに、
前記配信手段によって配信されるマルチメディアデータの再生制御情報を生成する生成手段と、
この生成手段によって生成された再生制御情報を前記通信回線を介して他の端末に送信する送信手段と、
を実行させることを特徴とするプログラム。
【請求項１８】
通信回線に接続する接続手段及びこの接続手段によって前記通信回線に接続されることにより他の端末から配信されるマルチメディアデータを受信する受信手段を備えた通信端末のコンピュータに、
この受信手段によって受信されたマルチメディアデータを再生出力する再生出力手段と、
前記他の端末から送信された再生制御情報を前記受信手段に受信するよう制御する受信制御手段と、
この受信制御手段によって受信された再生制御情報を前記受信手段によって受信されたマルチメディアデータとともに記憶する第１の記憶手段と、
この第１の記憶手段に記憶された再生制御情報に基づいて、前記再生出力手段によって再生出力されるマルチメディアデータの再生出力態様を制御する再生制御手段と、
を実行させることを特徴とするプログラム。
【発明の詳細な説明】
【技術分野】
【０００１】
本発明は、マルチメディアデータを配信する配信システム、このシステムに接続するに接続する配信装置、及び、通信端末に関する。
【背景技術】
【０００２】
従来より、携帯電話等の通信端末では、再生出力する音声ファイルや待ち受け画面として表示する画像ファイルを通信事業者などが管理する他の情報機器からダウンロードして使用することが可能であった（例えば、特許文献１を参照）。
【０００３】
また、通信端末からのダウンロードに対しては、無料、もしくは通信事業者がダウンロードに関するセッションを記録して有料で上記音声ファイルや画像ファイルを提供する配信サービスがあった。
【０００４】
最近の通信端末では、アニメーションファイルや、音声やアニメーションが組み合わされたコンテンツファイル等のマルチメディアファイル等を着信時に再生する機能を備えるものもあり、特定の人物からの着信時に再生させたり、動きのある待受け画面として再生させる等、様々な再生表示が可能となっている。
【０００５】
上記のマルチメディアファイルの再生を制御する再生制御情報は、一つのファイルについて一つであり、一つの再生様態でしか再生することができなかった。しかし、近年では、複数の再生開始位置（フレーム等）を再生制御情報として一つのファイルに格納させ、複数の再生開始位置と通信端末の着信や電波状態、バッテリー状態といった複数のステータスと夫々関連付けさせ、そのマルチメディアファイルを再生する通信端末がおかれた状態に基づいて対応する再生開始位置から再生出力することが可能となっており、上述したマルチメディアファイルがダウンロード提供されるに至っている。
【特許文献１】特開２００５−１３０００５号公報
【発明の開示】
【発明が解決しようとする課題】
【０００６】
しかしながら、このようなマルチメディアファイルを有料、もしくは、無料でダウンロード配信する場合、配信要求する通信端末がどのようなステータスの時にどのような再生出力を行なうかを事前に確認することは困難であった。
【０００７】
また、上記のようなファイルの他、例えば再生開始位置として複数のチャプターで区切られた映像ファイルをダウンロード配信する場合であっても、ユーザが閲覧を希望するシーンがその映像ファイルに含まれているかどうかを事前に確認することは困難であった。
【０００８】
本発明は、このような問題点に鑑みてなされたものであり、再生制御情報を格納したデータを保存させる前に、その再生制御情報に基づく再生表示内容を事前に確認することが可能な配信システム、配信装置、及び、通信端末を提供することにある。
【課題を解決するための手段】
【０００９】
上記課題を解決するために、請求項１に記載の発明は、マルチメディアデータを蓄積する蓄積手段及びこの蓄積手段に蓄積されたマルチメディアデータを通信回線を介して配信する配信手段を備えた配信装置と、前記通信回線に接続する接続手段、この接続手段によって前記通信回線に接続されることにより前記配信手段によって配信されるマルチメディアデータを受信する受信手段及びこの受信手段によって受信されたマルチメディアデータを再生出力する再生出力手段を備えた通信端末と、を含む配信システムであって、前記配信装置は、前記配信手段によって配信されるマルチメディアデータの再生制御情報を生成する生成手段と、この生成手段によって生成された再生制御情報を前記通信端末に送信する送信手段とを備え、前記通信端末は、前記送信手段によって送信された再生制御情報を前記受信手段に受信するよう制御する受信制御手段と、この受信制御手段によって受信された再生制御情報を前記受信手段によって受信されたマルチメディアデータとともに記憶する第１の記憶手段と、この第１の記憶手段に記憶された再生制御情報に基づいて、前記再生出力手段によって再生出力されるマルチメディアデータの再生出力態様を制御する再生制御手段と、を備えたことを特徴とする。
【００１０】
請求項２に記載の発明は、請求項１に記載の発明において、前記通信端末は、前記接続手段による接続を切断する切断手段と、この切断手段によって前記通信回線との接続が切断されると、前記第１の記憶手段に記憶されたマルチメディアデータを消去する消去手段と、を更に備えたことを特徴とする。
【００１１】
請求項３に記載の発明は、請求項１に記載の発明において、前記通信端末は、前記第１の記憶手段に記憶されたマルチメディアデータの保存を指示する指示手段と、この指示手段によってマルチメディアデータの保存が指示されると、前記第１の記憶手段に記憶されたマルチメディアデータを転送して記憶する第２の記憶手段と、を備えたことを特徴とする。
【００１２】
請求項４に記載の発明は、請求項１乃至３の何れかに記載の発明において、前記マルチメディアデータは、当該マルチメディアデータに基づく再生様態が時系列的に変化するデータであり、前記再生制御情報は、前記変化する時間範囲が複数設定された情報であることを特徴とする。
【００１３】
請求項５に記載の発明は、請求項４に記載の発明において、前記通信端末は、前記変化の時間範囲が複数設定された情報を表示する表示手段と、この表示手段に表示された情報に基づいて、変化の時間範囲を指示する指示手段と、この指示手段によって指示された時間範囲で、前記第１の記憶手段に記憶されたマルチメディアデータを再生出力するよう前記再生出力手段を制御する出力制御手段と、を更に備えたことを特徴とする。
【００１４】
請求項６に記載の発明は、マルチメディアデータを蓄積する蓄積手段と、この蓄積手段に蓄積されたマルチメディアデータを通信回線を介して配信する配信手段と、前記配信手段によって配信されるマルチメディアデータの再生制御情報を生成する生成手段と、この生成手段によって生成された再生制御情報を前記通信回線を介して他の端末に送信する送信手段と、を備えたことを特徴とする。
更に、請求項６に記載の発明に示した主要な機能を実現させるための配信方法及びプログラムを提供する（請求項１５、７に記載の発明）。
【００１５】
請求項７に記載の発明は、通信回線に接続する接続手段と、この接続手段によって前記通信回線に接続されることにより他の端末から配信されるマルチメディアデータを受信する受信手段と、この受信手段によって受信されたマルチメディアデータを再生出力する再生出力手段と、前記他の端末から送信された再生制御情報を前記受信手段に受信するよう制御する受信制御手段と、この受信制御手段によって受信された再生制御情報を前記受信手段によって受信されたマルチメディアデータとともに記憶する第１の記憶手段と、この第１の記憶手段に記憶された再生制御情報に基づいて、前記再生出力手段によって再生出力されるマルチメディアデータの再生出力態様を制御する再生制御手段と、を備えたことを特徴とする。
更に、請求項７に記載の発明に示した主要な機能を実現させるための再生方法及びプログラムを提供する（請求項１６、１８に記載の発明）。
【００１６】
請求項８に記載の発明は、請求項７に記載の発明において、前記接続手段による接続を切断する切断手段と、この切断手段によって前記通信回線との接続が切断されると、前記第１の記憶手段に記憶されたマルチメディアデータを消去する消去手段と、を更に備えたことを特徴とする。
【００１７】
請求項９に記載の発明は、請求項７に記載の発明において、前記第１の記憶手段に記憶されたマルチメディアデータの保存を指示する指示手段と、この指示手段によってマルチメディアデータの保存が指示されると、前記第１の記憶手段に記憶されたマルチメディアデータを転送して記憶する第２の記憶手段と、を備えたことを特徴とする。
【００１８】
請求項１０に記載の発明は、請求項７乃至９の何れかに記載の発明において、前記マルチメディアデータは、当該マルチメディアデータに基づく再生様態が時系列的に変化するデータであり、前記再生制御情報は、複数の前記変化の時間範囲毎に再生様態が設定された情報であることを特徴とする。
【００１９】
請求項１１に記載の発明は、請求項１０に記載の発明において、前記変化の時間範囲が複数設定された情報を表示する表示手段と、この表示手段に表示された情報に基づいて、変化の時間範囲を指示する指示手段と、この指示手段によって指示された時間範囲で、前記第１の記憶手段に記憶されたマルチメディアデータを再生出力するよう前記再生出力手段を制御する出力制御手段と、を更に備えたことを特徴とする。
【００２０】
請求項１２に記載の発明は、請求項１１に記載の発明において、当該端末の通信状態を監視する監視手段と、この監視手段によって監視される通信状態と前記再生制御情報とを関連付けて記憶する第３の記憶手段とを更に備え、前記再生出力手段は、前記第３の記憶手段に記憶された内容にしたがって再生出力することを特徴とする。
【００２１】
請求項１３に記載の発明は、請求項１１に記載の発明において、当該端末の電源状態を監視する監視手段と、この監視手段によって監視される電源状態と前記再生制御情報とを関連付けて記憶する第３の記憶手段とを更に備え、前記再生出力手段は、前記第３の記憶手段に記憶された内容にしたがって再生出力することを特徴とする。
【００２２】
請求項１４に記載の発明は、請求項１１に記載の発明において、外部からの着信を検出する着信検出手段と前記着信検出手段によって検出された時の報知態様と前記再生制御情報とを関連付けて記憶する第３の記憶手段とを更に備え、前記再生出力手段は、前記第３の記憶手段に記憶された内容にしたがって再生出力することを特徴とする。
【発明の効果】
【００２３】
請求項１、６、７、１７、１８に記載の発明によれば、配信されるマルチメディアデータの再生制御情報を生成して送信し、その配信されたマルチメディアデータと再生制御情報を第１の記憶手段に記憶して当該再生制御情報に基づいたマルチメディアデータの再生出力様態を制御する構成であるため、第１の記憶手段に再生するマルチメディアデータと再生制御情報とを記憶した段階でその再生制御情報に基づいたマルチメディアデータの再生表示内容を確認することが可能となり、事前の確認を容易に行なうことができる。
【００２４】
請求項２、８に記載の発明によれば、切断手段によって通信回線との接続が切断された場合に第１の記憶手段に記憶されたマルチメディアデータを消去することができる。
【００２５】
請求項３、９に記載の発明によれば、第１の記憶手段に記憶されたマルチメディアデータの保存が指示された場合に、当該マルチメディアデータを第１の記憶手段とは別の第２の記憶手段に記憶することができる。
【００２６】
請求項４、１０に記載の発明によれば、再生時に再生様態が時系列的に変化するマルチメディアデータに対して、変化する時間範囲を複数設定して当該マルチメディアデータによる再生出力様態を制御することができ、より詳細な再生制御を行なうことができる。
【００２７】
請求項５、１１に記載の発明によれば、変化の時間範囲が複数設定された情報を表示し、それに基づいて指示された変化の時間範囲でマルチメディアデータの再生出力を行なうことができ、事前の確認をより詳細に行なうことができる。
【００２８】
請求項１２に記載の発明によれば、通信状態及び再生制御情報が関連付けて記憶された内容と監視手段による通信状態とにしたがったマルチメディアデータの出力を行なうことができる。
【００２９】
請求項１３に記載の発明によれば、電源状態及び再生制御情報が関連付けて記憶された内容と監視手段による電源状態とにしたがったマルチメディアデータの出力を行なうことができる。
【００３０】
請求項１４に記載の発明によれば、着信検出手段によって外部からの着信が検出された時の報知様態及び再生制御情報が関連付けて記憶された内容と報知様態とにしたがったマルチメディアデータの出力を行なうことができる。
【発明を実施するための最良の形態】
【００３１】
以下、図を参照して、本発明の実施形態について詳細に説明する。
【００３２】
先ず、本発明である配信システム１００の構成を図１を参照して説明する。図１は、配信システム１００の構成の概略を示す概略図である。
【００３３】
配信システム１００は、図１に示すように、携帯電話や通信機能を備えたＰＤＡ（Personal  Digital  Assistant）などである携帯電話１、ＧＳＭ（Global System for Mobile communication）方式、ＧＰＲＳ（General Packet Radio System ；汎用パケット無線システム）方式、ＰＤＣ（Personal Digital Cellular）方式、ＣＤＭＡ（Code Division Multiple Access）方式、ＰＨＳ（Personal Handyphone System）方式、Bluetooth無線通信方式、無線ＬＡＮ（Local Area Network）等のように各種携帯電話や無線モデムの規格や通信方式で携帯電話１との間で無線基地局２を介して無線通信を行ない、携帯電話１と他の端末との通信・通話や携帯電話１とインターネット４との接続を行なう通信業者３、及びインターネット４に接続し、他の端末からのインターネット４を介したダウンロード要求に応じたデータを配信するダウンロード配信サービス会社５からなる。
【００３４】
通信業者３は、携帯電話１が無線基地局２を介してインターネット４に接続する際のデータの変換や、その時の接続時間などの通信履歴情報を取得して格納し、当該携帯電話１に対して通信料金を請求するための交換システム３２、携帯電話１がインターネット４に接続する際にＵＲＬ（Uniform  Resource  Locator）などで特定の接続先を指定しない場合の最初に表示するページ提供するＷｅｂサーバ３１を備える。
【００３５】
ダウンロード配信サービス会社５は、データベース５１、システムサーバ５２、コンテンツ管理サーバ５３及びＷｅｂサーバ５４を備え、他の機器からのダウンロード要求に応じたデータの配信と、それに応じて他の機器の利用者への課金を行なう。なお、ダウンロード配信サービス会社５の構成は、一例を示したものであり、単一のサーバで実現する構成や更に作業を分散して行なう構成であっても良い。
【００３６】
データベース５１は、他の端末からのダウンロード要求に応じて配信される、例えば、上記音声やアニメーションが組み合わされたコンテンツファイルマルチメディアファイルなどのデータを蓄積する。システムサーバ５２は、予め配信サービスの提供前に登録され、課金料金の請求先や利用者が配信を受ける携帯電話１を特定する識別情報などを格納する配信サービス登録者情報や当該識別情報毎に配信した情報に応じた課金額を格納する課金情報などに基づいたシステム運営に関する処理を行なう。
【００３７】
コンテンツ管理サーバ５３は、携帯電話１からの接続によるセッション開始後における携帯電話１の利用者からの閲覧要求に応じて、要求されたマルチメディアファイルがオブジェクトとして埋め込まれ、当該マルチメディアファイルにおける再生範囲を複数指定するリンク情報が記述されたページを作成し、再生ページとしてセッションを継続している端末へ送信する。Ｗｅｂサーバ５４は、携帯電話１からの接続に対して、データベース５１に蓄積された閲覧／配信可能なデータを指定するリンク情報が記述されたページを送信する。また、Ｗｅｂサーバ５４は、携帯電話１からの接続要求に対してユーザ認証、接続許可を行なうためのゲートウエイサーバとしての機能も兼ねる。
【００３８】
ここで、データベース５１に蓄積されているマルチメディアファイルの一例として、上記の音声やアニメーションが組み合わされたコンテンツファイルであるマルチメディアファイル５５について、そのファイル構造のイメージを図２を参照して説明する。図２（ａ）は、マルチメディアファイル５５のファイル構造イメージを例示する図であり、図２（ｂ）は、マルチメディアファイル５５の再生時においてメディアコンテンツデータ５５３を元に時系列的に表示されるフレームを例示する図である。
【００３９】
マルチメディアファイル５５は、図２（ａ）に示すように、作成日時などの主に当該マルチメディアファイル５５の属性に関する情報であるファイルヘッダ５５１、再生範囲のフレームの再生間隔（音声情報も含む）等が複数設定された再生制御データ５５２及び順次表示する複数のフレーム画像などであるメディアコンテンツデータ５５３から構成される。
【００４０】
メディアコンテンツデータ５５３は、図２（ｂ）に示すように、時間ｔで時系列的に再生されるフレームＦ０〜Ｆ５までの変化を付けた画像（定点から見た町の一日の風景）が一塊になっており、時間ｔでフレームＦ０〜Ｆ５までの画像を差替えて表示させることで動画やアニメーションのような映像表現を行なうことが可能である。
【００４１】
メディアコンテンツデータ５５３を元にした時系列的な再生では、特に再生制御データ５５２に基づいた再生範囲の指定が無い場合は最初のフレームＦ０から最終であるフレームＦ５まで再生するが、再生制御データ５５２で再生するフレームの指定がある場合はその範囲のみ再生する。例えば、再生制御データ５５２における「再生範囲フレームＮｏ２」が指定された場合は、フレームＦ１（日の出）からフレームＦ２（午前中）まで再生し、日の出から午前中の町並みの定点風景をアニメーションして表示することができる。
【００４２】
尚、本実施の形態では、マルチメディアファイル５５がFlash形式である場合について述べるが、時系列的にフレーム画像などを再生する動画ファイルについて、静止画像とその表示効果などを時系列で示した他の動画像形式や、特定のシーンから再生するための情報、すなわちチャプター情報などであってもよい。
【００４３】
次に、携帯電話１の構成について、図３、図４を参照して説明する。図３は、携帯電話１の機能的構成を模式的に示した図であり、図４は、再生条件設定記憶部１１３の格納内容を例示する図である。
【００４４】
図４に示すように、携帯電話１は、通信処理部１０２、電波状態監視部１０１１、表示部１０３、データ記憶部１０４、制御部１０５、再生処理部１０６、再生状態監視部１０６１、音声処理部１０８、キー入力部１１１、アドレス帳データ記憶部１１２、アドレス帳データ記憶部１１２、再生条件設定記憶部１１３及びキャッシュメモリ１１４が互いに電気的に接続されてなる。
【００４５】
通信処理部１０２は、制御部１０５から入力される指示に基づき、アンテナ１０１を介して前述した通信方式で無線基地局２との間の無線通信を行なう回路部であり、制御部１０５と協働することによって外部の情報端末との通話やインターネットなどを介したデータ通信を行なう。電波状態監視部１０１１は、待受時における無線基地局２との電波受信や通信時における送受信状態などの電波環境をアンテナ１０１からの情報に基づいて監視する。
【００４６】
表示部１０３は、ＬＣＤ（Liquid  Crystal  Display）などの液晶ディスプレイであり、制御部１０５からの指示に基づいた動画像や静止画像の画面を表示する。なお、表示部１０３は、マルチメディアファイルによる画像再生に適したＱＶＧＡ以上の解像度を備えるカラー液晶であることが好ましい。
【００４７】
データ記憶部１０４は、不揮発性メモリなどで構成され、利用者により携帯電話１への記録が指示されたマルチメディアファイルなどのデータを格納する。具体的には、利用者からの指示によってダウンロードされ、キャッシュメモリ１１４に記憶されているマルチメディアファイルの保存が指示された場合にキャッシュメモリ１１４から転送される当該マルチメディアファイルを記憶する。
【００４８】
制御部１０５は、特に図示しないＣＰＵ（Central  Processing  Unit）、ＲＯＭ（Read  Only  Memory）、内部ＲＡＭ（Random  Access  Memory）などを備え、ＣＰＵにおいて内部ＲＡＭを作業領域としてＲＯＭに格納された各種制御プログラムを実行し、携帯電話１の動作全般を統括制御する。
【００４９】
また、制御部１０５は、上記ＲＯＭなどに閲覧プログラム１０５１を格納し、後述する閲覧プログラム１０５１に基づく処理を行なうことで、インターネットに接続する他の機器に格納されたＨＴＭＬ（HyperText  Markup  Language）形式のファイルや画像・音声などのデータを通信により取得して、それに基づいた表示や音声再生を行なう。この時の他の機器から通信により取得されたＨＴＭＬ形式のファイルや画像・音声などの各種データは、当該他の機器と通信が終了する（セッションが完了する）までキャッシュメモリ１１４に保持される。
【００５０】
再生処理部１０６は、制御部１０５の指示に基づいてスピーカ１０７０、ＬＥＤ１０７１及びバイブレータ１０７２の駆動制御を行なう。具体的には、入力される音声データの復号やＤ／Ａ変換を行ないスピーカ１０７０における音声再生や、着信時や音声再生時の音声データに同期してバイブレータ１０７２やＬＥＤ１０７１を駆動することによる振動や発光による報知を行なう。
【００５１】
再生状態監視部１０６１は、再生処理部１０６によるスピーカ１０７０、ＬＥＤ１０７１、バイブレータ１０７２の駆動状態や、制御部１０５からの再生指示に応じて上記の何れを駆動するかなどの設定状態を監視する。例えば、着信時においてバイブレータ１０７２の駆動が設定されているか否かを監視する。
【００５２】
音声処理部１０８は、通話用スピーカ１０９、通話用マイク１１０を備え、通信処理部１０２と協働することによる音声通話を行なう。具体的には、通話状態時に通信処理部１０２から入力される音声信号を増幅及び復調して通話用スピーカ１０９に出力するとともに、通話用マイク１１０に入力された音声信号に基づく音声データを通信処理部１０２へ出力する。
【００５３】
キー入力部１１１は、数字キー、文字キー、各種機能キー等から構成され、押下されたキーに対応する押下信号を制御部１０５に出力する。なお、電源監視部１１５は、表示部１０３と一体化したタッチパネルであってもよい。
【００５４】
アドレス帳データ記憶部１１２及び再生条件設定記憶部１１３は、書き換え可能な不揮発性のメモリである。アドレス帳データ記憶部１１２は、電話番号、ホームページのＵＲＬ又は電子メールアドレスなどのデータ通信の宛先を名称などで管理するアドレス帳データを格納する。再生条件設定記憶部１１３は、携帯電話１における電源状態、音声再生状態又は電波状態などのステータスとデータ記憶部１０４に格納されたマルチメディアファイルにおける再生範囲とを関連付けるデータを記憶する。
【００５５】
再生条件設定記憶部１１３は、図４に示すように、「電波状態不良」、「バッテリ不足」、「着信（アドレス帳Ｎｏ．００２）」、「着信（アドレス帳Ｎｏ．００５）」、「着信（バイブ連動）」などの予め設定されたステータスに対して、ファイル名が「ＡＢＣ．ｓｗｆ」等のマルチメディアファイルのフレームを指定した各再生範囲（前述の図２（ａ）における再生制御データ５５２）を対応付けるテーブルデータを格納する。これにより、電波、電源、着信、バイブ連動による着信などの状態に対応するフレームの再生や、着信時における発信元の番号とアドレス帳データ記憶部１１２に登録された情報による報知様態とに対応するフレームの再生を行なうことができる。なお、再生条件設定記憶部１１３におけるマルチメディアファイルの指定は、当該マルチメディアファイルを格納するデータ記憶部１０４のアドレスであっても良い。
【００５６】
キャッシュメモリ１１４は、揮発性メモリであり、制御部１０５が処理する際に一時的にデータを記憶する領域を提供する。具体的には、データ通信時に他の機器から取得したデータを格納し、キー入力部１１１から入力される当該データを保存する指示などに応じてデータ記憶部１０４へそのデータを転送する。なお、格納されるデータは、このデータ通信におけるセッション中など、一連の処理を実行している間は制御部１０５からの参照が可能であるが、当該セッションの終了後はデータを格納するために確保したメモリ領域の開放や実際に格納したデータの消去により、制御部１０５からの参照ができなくなる。このため、データ通信などで取得したマルチメディアファイル５５の設定時に課金する場合において、閲覧のためにキャッシュメモリ１１４に一時的に格納されたデータの不正利用を防止することができる。
【００５７】
電源監視部１１５は、携帯電話１に電力を供給する２次電池である充電池１１６の電圧値などを検出することで、電池残量などの電源状態を監視する回路部である。なお、電源監視部１１５は、特に図示しない商用電源への接続による供給電源の切替えや、当該商用電源による充電池１１６の充電を監視する構成であってもよい。
【００５８】
次に、配信システム１００において、携帯電話１の制御部１０５が閲覧プログラム１０５１を実行することで、携帯電話１がダウンロード配信サービス会社５に接続し、その接続が完了するまでに行なわれる処理について、図５〜図７を参照して説明する。
【００５９】
図５は、携帯電話１がダウンロード配信サービス会社５に接続し、その接続が完了するまでの処理を示すフローチャートであり、図６は、表示部１０３に表示される再生ページを例示する図であり、図７は、再生ページの記述内容を例示する図である。なお、図５で説明する処理は、携帯電話１の制御部１０５が閲覧プログラム１０５１を実行して行なうステップＡ１〜Ａ１４の各処理と、携帯電話１からの接続まで待機されるダウンロード配信サービス会社５のＷｅｂサーバ５４又はコンテンツ管理サーバ５３が行なうステップＢ１〜Ｂ９の各処理とからなる。
【００６０】
先ず携帯電話１では、利用者からのキー入力部１１１を介したＵＲＬの指定などによるダウンロード配信サービス会社５のＷｅｂサーバ５４へのアクセス指示の有無が判定され（ステップＡ１）、指示がある場合はダウンロード配信サービス会社５へ携帯電話１の機種を示す信号とともに接続要求を示す信号を出力してセッションを開始させ、無い場合はそのまま終了する。
【００６１】
ダウンロード配信サービス会社５では、携帯電話１からの接続要求を示す信号が検出される、つまり、アクセスが検出されるまで待機され（ステップＢ１）、携帯電話１からのアクセスの検出によりダウンロード配信サービス会社５が管理するマルチメディアファイル５５などの各種コンテンツに対してアクセス可能にリンクが張られたＨＴＭＬ形式のトップページが携帯電話１に対して転送され（ステップＢ２）、次のデータの要求があるまでセッションが接続状態で待機される（ステップＢ３、Ｂ４）。なお、このステップＢ３、Ｂ４における待機は、所定時間携帯電話１からの接続が無い場合にセッションを解除して接続待ち状態（ステップＢ１：Ｎ→リターン）へ戻る構成であって良い。
【００６２】
次いで、ダウンロード配信サービス会社５からのトップページの転送を受信した携帯電話１では、キャッシュメモリ１１４にその受信したトップページが保存され（ステップＡ２）、ＨＴＭＬの記述に応じたトップページが表示部１０３に表示され（ステップＡ３）、その表示されたトップページにおけるマルチメディアデータなどのコンテンツに対するリンクの選択が検出されるまで待機される（ステップＡ４）。なお、表示部１０３に表示されるトップページは、アクセス可能なコンテンツの名称がリスト状などで表示され、そのコンテンツの名称部分がコンテンツの接続先を示すＵＲＬが記述されたタグによるリンク形式で表記される。
【００６３】
携帯電話１からダウンロード配信サービス会社５に対してステップＡ４でリンクの選択によるマルチメディアデータの転送要求が行なわれた場合は、ダウンロード配信サービス会社５のデータベース５１から当該要求のあったマルチメディアファイル５５が抽出され（ステップＢ５）、当該抽出されたマルチメディアファイル５５をオブジェクトとして埋め込み、そのオブジェクトに関する再生範囲のリンクが張られた再生制御情報としての再生ページがコンテンツ管理サーバ５３で作成され（ステップＢ６）、その作成された再生ページが携帯電話１に転送される（ステップＢ７）。
【００６４】
なお、ステップＢ７の後におけるダウンロード配信サービス会社５では、セッション継続状態が維持され（ステップＢ８）、携帯電話１からの切断要求に応じた本セッションの切断処理、つまり、通信の終了に伴ってデータ記憶部１０４にデータを保存したことを示す信号が受信された場合は課金するなどの処理が行なわれて（ステップＢ９）、終了する。
【００６５】
コンテンツ管理サーバ５３で作成される再生ページは、例えばＨＴＭＬ形式のページであり、図７に示すように、ファイルヘッダ情報、実データ再生領域（座標情報）及び他の記述領域から構成される。ファイルヘッダ情報は、オブジェクトとしてのマルチメディアファイル５５（当該マルチメディアファイル５５を貼る命令など）、再生実行情報等の命令文、言語仕様及びどのようなメタファイルであるかなどの再生ページに関する表示フォーマット情報からなる。実データ再生領域には、上記ファイルヘッダ情報におけるマルチメディアファイル５５の名称やそのマルチメディアファイル５５に基づいた画像が表示される領域を示す位置座標が記述される。他の記述領域には、実際にリスト状などで表示されるテキストに対して、そのリスト状に表示されるテキストの項目毎に上記ファイルヘッダ情報におけるマルチメディアファイル５５の再生制御データ５５２を元にした再生範囲の再生指示がタグによるリンク形式で記述される。なお、リスト状などで表示されるテキストは、ステップＢ１で受信した携帯電話１からの機種を示す信号に応じて、予め設定されたステータスの種類（再生条件）である。
【００６６】
なお、本実施の形態では、コンテンツ管理サーバ５３で作成される再生ページは利用者からの要求を契機にして作成される構成であるが、マルチメディアファイル５５の再生制御データ５５２の内容が共通化されている場合や携帯電話１の機種に依存しない場合などは事前に記述されたものをデータベース５１などに予め格納し、利用者からの要求に応じて送信するマルチメディアファイルをオブジェクトとして埋め込むだけでもよい。
【００６７】
次いで、携帯電話１では、キャッシュメモリ１１４に受信した再生ページが保存され（ステップＡ５）、再生ページの記述に応じた画面が表示部１０３に表示され（ステップＡ６）、その表示された再生ページに記載されたリンクの選択が検出されるまで待機される（ステップＡ７）。
【００６８】
表示部１０３に表示される再生ページの記述に応じた画面には、図６に示すように、電波状態を表示する電波状態アイコン１０３１、電池状態を表示するバッテリー状態アイコン１０３２、現在時刻を表示する時計１０３３、キー入力部１１１におけるファンクションキーの割り当てを示す画像（ボタン画像１０３４〜１０３６）、前述のファイルヘッダ情報を元にした位置にマルチメディアファイルによる画像を表示するメディア表示エリア１１００、当該マルチメディアファイルへの再生指示がリンクされているリンクＬ１〜Ｌ５が表示される。
【００６９】
次いで、携帯電話１でリンクの選択が検出された場合（ステップＡ７：Ｙ）は、キャッシュメモリ１１４に一時的に格納されているマルチメディアファイル５５から選択されたリンクに対応する開始／終了フレームが読出され（ステップＡ８）、メディア表示エリア１１００にその読出されたフレームに基づく画像が表示される（ステップＡ９）。
【００７０】
つまり、利用者は、上述した再生ページの記述に応じた画面を参照しながら、リンクＬ１〜Ｌ５をキー入力部１１１から選択することで、仮想的にこのファイルの下位層のページにジャンプし、選択したマルチメディアファイルの再生を確認することができる。つまり、夕方（１７：００以降）の再生画像を確認する場合はリンクＬ３、又はバッテリ不足の場合はリンクＬ４を選択するなどして、様々なステータスに対してどのような再生内容で再生されるかを、そのリンクを指定することにより再生出力される画像から確認することができ、データを保存する前の段階で十分に確認することができる。
【００７１】
次いで、携帯電話１では、キー入力部１１１からの保存指示の有無が検出され（ステップＡ１０）、保存指示が検出された場合はキャッシュメモリ１１４に一時的に記憶されているマルチメディアファイル５５がデータ記憶部１０４に転送され（ステップＡ１１）、再生条件設定記憶部１１３に再生ページに基づいて当該マルチメディアファイル５５におけるステータス毎の再生範囲を対応付けるテーブルデータが格納され（ステップＡ１２）、ダウンロード配信サービス会社５との通信を切断する指示の有無が判定されて（ステップＡ１３）、切断しない場合はそのままステップＡ６に戻る。なお、ステップＡ１３において切断する場合は、通信を切断する信号とデータ記憶部１０４に保存した場合はそれを示す信号がダウンロード配信サービス会社５に送信され、キャッシュメモリ１１４に格納されたデータが消去、又はメモリ領域の開放が行なわれて（ステップＡ１４）終了する。
【００７２】
以上のように、配信システム１００は、ダウンロード配信サービス会社５で携帯電話１からの配信要求に応じたマルチメディアファイル５５と当該マルチメディアファイル５５に関して生成された再生制御情報である再生ページとを携帯電話１に送信する。携帯電話１では、受信した再生ページをキャッシュメモリ１１４に格納し、それに基づいて、電源状態、電波状態又は着信などのステータスに対応したマルチメディアファイル５５の再生範囲を指示するリンクを含み、キー入力部１１１からの指示によるリンクの選択に応じたマルチメディアファイル５５の再生をメディア表示エリア１１００に示す再生ページを表示部１０３に表示する。
【００７３】
このため、携帯電話１の利用者は、マルチメディアファイル５５をダウンロードした時点で、当該マルチメディアファイル５５のステータスなどに応じた再生内容の確認することができ、わざわざ設定などをする必要無く、事前の確認を容易に行なうことができる。
また、携帯電話１は、キー入力部１１１から保存指示に応じてマルチメディアファイル５５をデータ記憶部１０４に格納し、ステータスに対応した当該マルチメディアファイル５５の再生範囲に関する情報を再生条件設定記憶部１１３に格納する。このため、当該処理が終了した後もマルチメディアファイル５５のステータスに対応した表示を可能にすることができる。
【００７４】
また、携帯電話１は、ダウンロード配信サービス会社５との通信が切断されるとキャッシュメモリ１１４に格納されたマルチメディアファイル５５を消去する構成である。このため、ダウンロード配信サービス会社５は、マルチメディアファイル５５の提供に対して課金する場合などにおいて、携帯電話１からのマルチメディアファイル５５の不正な取得を防止することができる。
【００７５】
［変形例］
次に、配信システム１００における、携帯電話１の制御部１０５が閲覧プログラム１０５１を実行することで、携帯電話１がダウンロード配信サービス会社５に接続し、その接続が完了するまでに行なわれる処理の変形例を図８を参照して説明する。図８は、配信システム１００において、携帯電話１がダウンロード配信サービス会社５に接続し、その接続が完了するまでの処理の変形例を示すフローチャートである。なお、図５と同一の処理には同一の符号を付して説明を省略し、携帯電話１の制御部１０５が行なうステップＡ１５〜Ａ１８について説明する。
【００７６】
図８に示すように、変形例では、表示部１０３に再生ページに応じた画面が表示された後（ステップＡ６）、再生条件設定記憶部１１３に格納されたステータス毎のマルチメディアファイル５５の再生範囲を対応付ける情報が読出され（ステップＡ１５）、ステップＡ６に表示された再生ページでのリンク付けにその読出された情報に基づいた条件の追加が一時的に行なわれ（ステップＡ１６）、現在の携帯電話１のステータスと一致する条件の有無が判定され（ステップＡ１７）、一致する条件がある場合はマルチメディアファイル５５から追加された条件に対応する開始／終了フレームが読出される構成である（ステップＡ１８）。
【００７７】
上述した変形例のように、上述したステップＡ１５〜Ａ１８の処理を追加することで、例えば、再生ページを表示している状態で実際に電波状態が不良である場合にリンクを指定することなく再生出力することができる。
【００７８】
なお、本実施の形態における記述は、本発明の一例を示すものであり、これに限定しない。本発明における配信システム１００の細部構成及び細部動作に関しては、本発明の趣旨を逸脱しない範囲で適宜変更が可能である。例えば、配信システム１００における携帯電話１は携帯電話やＰＤＡ以外に、ＰＣ（Personal  Computer）や他の情報端末であって良い。また、通信業者３は、実施形態に示したような携帯電話の通信サービス事業者以外であり、ＩＳＰ（Internet  Service  Provider）等の通信事業者であっても良い。
【００７９】
また、本実施の形態におけるトップページや再生ページは、ＨＴＭＬ形式のページだけでなく、ＸＭＬ（eXtensible Markup Language ）、ＤＨＴＭＬ（Dynamic HTML ）等のマークアップ言語により記述されたウェブページ等であって良い。また、トップページや再生ページは、携帯電話１からの要求毎にダウンロード配信サービス会社５で生成されても良いし、携帯電話１からの要求に対して予めデータベース５１などに格納されたページ情報がそのまま送信されてもよい。
【図面の簡単な説明】
【００８０】
【図１】本発明である配信システム１００の構成の概略を示す概略図である。
【図２】（ａ）は、マルチメディアファイル５５のファイル構造のイメージ図であり、（ｂ）は、マルチメディアファイル５５の再生時に時系列的に表示されるフレームを例示する図である。
【図３】携帯電話１の機能的構成を模式的に示した図である。
【図４】再生条件設定記憶部１１３の格納内容を例示する図である。
【図５】配信システム１００において、携帯電話１がダウンロード配信サービス会社５に接続し、その接続が完了するまでの処理を示すフローチャートである。
【図６】表示部１０３に表示される再生ページを例示する図である。
【図７】再生ページの記述内容を例示する図である。
【図８】配信システム１００において、携帯電話１がダウンロード配信サービス会社５に接続し、その接続が完了するまでの処理の変形例を示すフローチャートである。
【符号の説明】
【００８１】
１００  配信システム
１  携帯電話（通信端末）
２  無線基地局（通信回線）
３  通信業者（通信回線）
３１  Ｗｅｂサーバ（配信手段）
３２  交換システム
４  インターネット（通信回線）
５  ダウンロード配信サービス会社（配信装置）
５１  データベース（蓄積手段）
５２  システムサーバ（送信手段）
５３  コンテンツ管理サーバ（生成手段）
５４  Ｗｅｂサーバ（送信手段）
５５  マルチメディアファイル
５５１  ファイルヘッダ
５５２  再生制御データ
５５３  メディアコンテンツデータ
１０１  アンテナ（接続手段、受信手段、着信検出手段）
１０１１  電波状態監視部（監視手段）
１０２  通信処理部（接続手段、受信手段、着信検出手段）
１０３  表示部（再生出力手段、表示手段）
１０３１  電波状態アイコン
１０３２  バッテリー状態アイコン
１０３３  時計
１０３４〜１０３６  ボタン画像
１０４  データ記憶部（第２の記憶手段）
１０５  制御部（受信制御手段、再生制御手段、切断手段、消去手段、出力制御手段）
１０５１  閲覧プログラム（受信制御手段）
１０６  再生処理部（再生出力手段）
１０６１  再生状態監視部
１０７０  スピーカ（再生出力手段）
１０７１  ＬＥＤ
１０７２  バイブレータ
１０８  音声処理部
１０９  通話用スピーカ
１１０  通話用マイク
１１１  キー入力部（保存指示手段、指示手段）
１１２  アドレス帳データ記憶部
１１３  再生条件設定記憶部（第３の記憶手段）
１１４  キャッシュメモリ（第１の記憶手段）
１１５  電源監視部（監視手段）
１１６  充電池
１１００  メディア表示エリア
Ｆ０〜Ｆ５  フレーム
Ｌ１〜Ｌ５  リンク
【図１】
2007006072.tif 000003
【図２】
2007006072.tif 000004
【図３】
2007006072.tif 000005
【図４】
2007006072.tif 000006
【図５】
2007006072.tif 000007
【図６】
2007006072.tif 000008
【図７】
2007006072.tif 000009
【図８】
2007006072.tif 000010